(57)【要約】      （修正有）【課題】  蓋体を開にするとき下方に押し込む力が、蓋体がヒンジバネで付勢され開く力に影響を与えないようにした電気湯沸かし器の提供。【解決手段】  蓋開放つまみ１０を蓋体６とは独立して上枠４に回動自在に設け、蓋体６を開にするために蓋開放つまみ１０を下方に押し込むとき、その力が蓋体６がヒンジバネ９で付勢され開く力の方向に影響を与えないようにした。【選択図】  図２
2005058643.tif 000002
【特許請求の範囲】
【請求項１】
外郭を構成するボデーと、前記ボデーの上部に載置した上枠と、前記上枠の中央開口部に載置した液体を収納する有底筒状の容器と、前記容器内の液体を加熱する加熱手段と、前記容器の上方開口部を覆い、前記上枠に設けたヒンジ部に回動自在に固定されかつヒンジバネにより常に開方向に付勢されている蓋体と、前記上枠表面より下方の位置に設けられ前記上枠と係合して前記蓋体を閉とするロックレバーと、前記上枠と前記蓋体との係合を解除する蓋開放つまみとを備え、前記蓋開放つまみを前記上枠に回動自在に設ける構成とした電気湯沸かし器。
【請求項２】
蓋体にロックレバーが上枠との係合を解除する位置へ移動することを規制する開閉レバーを設ける構成とした請求項１記載の電気湯沸かし器。
【請求項３】
上枠もしくは蓋体に蓋開放つまみが上枠表面より下方へ移動することを規制する規制レバーを設ける構成とした請求項１記載の電気湯沸かし器。
【発明の詳細な説明】
【技術分野】
【０００１】
本発明は、容器内に収容した液体を加熱・保温し、本体外部へ導出する電気湯沸かし器に関し、特に、容器の上面開口部を覆う蓋体の開閉に関する。
【背景技術】
【０００２】
従来、この種の電気湯沸かし器の蓋体の係合解除は蓋開放つまみを押圧することにより行なっていた（例えば、特許文献１参照）。
【０００３】
図５は従来の電気湯沸かし器の断面図である。図５に示すように、電気湯沸かし器は外郭を構成するボデー１０１と、ボデー１０１の内部に設けられた液体１０２を収容する容器１０３と、ボデー１０１の上部に載置され、その中央開口部に容器１０３を載置する上枠１０４と、容器１０３の底面に設けられ液体１０２を加熱・保温する発熱体１０５と、容器１０３の上方開口部を覆う蓋体１０６とから構成されている。そして、蓋体１０６は上枠１０４に設けたフック部１０４ａに対峙するロックレバー１０７により着脱自在に係合され、さらに上枠１０４の後方に設けたヒンジ部１０４ｂにより回動自在に開閉される。また蓋体１０６のヒンジ部には上枠のヒンジ部１０４ｂに係合しさらに回動の中心となるヒンジピン１０８を設け、さらにヒンジピン１０８に内接したヒンジバネ１０９を設けている。ヒンジバネ１０９は一端を蓋体１０６に固定されもう一端を上枠１０４のヒンジ部１０４ｂに直接あるいは間接的に係合されることで、蓋体１０６は常に開放状態に付勢されている。また蓋体１０６にはロックレバー１０７と上枠１０４との係合を解除する蓋開放つまみ１１０と、ロックレバー１０７を通常は上枠１０４との係合状態に付勢するロックバネ２２５が載置されおり、さらにロックつまみ１１０の操作面を蓋体表面と略同一面に設けていた。
【０００４】
前記のように構成された電気湯沸かし器について、その動作を説明する。容器１０３に液体１０２を入れる場合などで蓋体１０６を開ける場合は、外部操作により蓋体１０６に載置された蓋開放つまみ１１０を押すことでロックレバー１０７が摺動し上枠１０４との係合が解除される。これによりヒンジバネ１０９により常に開放状態に付勢している蓋体１０６は上枠１０４の後方のヒンジ部１０４ａに係合したヒンジピン１０８を中心に回動しながら開く。
【特許文献１】特開平３−１４０１２８号公報
【発明の開示】
【発明が解決しようとする課題】
【０００５】
しかしながら、前記従来の構成では、通常、蓋体１０６を開ける場合は蓋体１０６に設けた蓋開放つまみ１１０を押し込む必要があるが、蓋開放つまみ１１０を下方に押し込む力は蓋体１０６がヒンジバネ１０９で付勢され開く力の方向と逆行していた。このためヒンジバネ１０９の付勢する力は蓋開放つまみ１１０を押し込む力より過大である必要があり、また確実に蓋体１０６を開けるためには蓋開放つまみ１１０で上枠の一部を蹴り上げるなどの配慮も必要であった。また蓋開放つまみ１１０の操作面は外郭の一部である蓋体表面と略同一面に設けていたため、蓋体表面より蓋開放つまみ１１０を深く押し込む必要があり操作性に問題があった。
【０００６】
本発明は前記従来の課題を解決するもので、蓋体を開にするとき下方に押し込む力が、蓋体がヒンジバネで付勢され開く力に影響を与えないようにして操作性を良くした電気湯沸かし器を提供することを目的とする。
【課題を解決するための手段】
【０００７】
前記課題を解決するために、本発明の電気湯沸かし器は、前記上枠に設けたヒンジ部に回動自在に固定されかつヒンジバネにより常に開方向に付勢されている蓋体と、前記上枠表面より下方の位置に設けられ前記上枠と係合して前記蓋体を閉とするロックレバーと、前記上枠と前記蓋体との係合を解除する蓋開放つまみとを備え、前記蓋開放つまみを前記上枠に回動自在に設ける構成とした。
【０００８】
この構成では、蓋開放つまみは蓋体ではなく上枠に設けられているので、蓋開放つまみを回動操作により下方に押し込んだとしても、押し込む力が蓋体がヒンジバネで付勢され開く力の方向に影響を与えないようにすることができる。したがって、ヒンジバネに加わる力を低減できる。また、上枠表面より下方に押し込んだ位置で係合を解除するようにすることができる。
【発明の効果】
【０００９】
本発明の電気湯沸かし器は、蓋体を開にするとき下方に押し込む力が、蓋体がヒンジバネで付勢され開く力に影響を与えないようにすることができ、操作性を良くすることができる。
【発明を実施するための最良の形態】
【００１０】
第１の発明は、外郭を構成するボデーと、前記ボデーの上部に載置した上枠と、前記上枠の中央開口部に載置した液体を収納する有底筒状の容器と、前記容器内の液体を加熱する加熱手段と、前記容器の上方開口部を覆い、前記上枠に設けたヒンジ部に回動自在に固定されかつヒンジバネにより常に開方向に付勢されている蓋体と、前記上枠表面より下方の位置に設けられ前記上枠と係合して前記蓋体を閉とするロックレバーと、前記上枠と前記蓋体との係合を解除する蓋開放つまみとを備え、前記蓋開放つまみを前記上枠に回動自在に設ける構成とした。
【００１１】
この構成により、蓋開放つまみは蓋体ではなく上枠に設けられているので、蓋開放つまみを回動操作により下方に押し込んだとしても、押し込む力が蓋体がヒンジバネで付勢され開く力の方向に影響を与えないようにすることができ操作性が良くなる。また、蓋開放つまみを回動押圧する力がヒンジバネに直接加わらないので、ヒンジバネを取り付けている上枠ヒンジ部等の小型軽量化が実現できる。さらに蓋開放つまみを上枠表面より下方に押し込んだ位置で対峙しているロックレバーを上枠との係合を解除させることで、不用意に蓋開放つまみに触れる程度で、蓋が開くなどの誤操作を防止するのを防ぐことができ利便性が良くなる。
【００１２】
第２の発明は、特に、第１の発明の構成において、蓋体にロックレバーが上枠との係合を解除する位置へ移動することを規制する開閉レバーを設ける構成としたことで、不用意に蓋開放つまみを操作した場合にも上枠に係合しているロックレバーの動作を開閉レバーの位置により規制するため、不用意に蓋開放つまみに触れる程度で、蓋が開くなどの誤操作が防止できる。
【００１３】
第３の発明は、特に、第１の発明の構成において、上枠もしくは蓋体に蓋開放つまみが上枠表面より下方へ移動することを規制する規制レバーを設ける構成としたことで、不用意に蓋開放つまみを操作した場合にも、規制レバーの位置により上枠表面より下方へ移動することを防止し、不用意に蓋が開くことをなくすことができる。
【００１４】
以下、本発明の実施の形態について、図面を参照しながら説明する。なお、この実施の形態によって本発明が限定されるものではない。
【００１５】
（実施の形態１）
図１は本発明の第１の実施の形態における電気湯沸かし器の要部断面図、図２は同電気湯沸かし器の断面図である。図１および２において、電気湯沸かし器は、外郭を構成するボデー１と、ボデー１の内部に設けた液体２を収納する有底筒状の容器３と、ボデー１の上部に載置し、その中央開口部に容器３を載置する上枠４と、容器３内の液体２を加熱・保温する発熱体５と、容器３の上面開口部を覆う蓋体６とから構成している。そして蓋体６は上枠４の後方に設けたヒンジ部４ａにより回動自在に固定されており、また、上枠４と前方のロックレバー７により着脱自在に係合している。蓋体には上枠４の後方に設けたヒンジ部４ａに係合するヒンジピン８を設け、ヒンジピン８に内接し一方を蓋体６内部に固定しもう一方を上枠４に直接あるいは間接的に固定し常に蓋体６を開く方向に付勢しているヒンジバネ９を設けている。上枠４にヒンジピン８及びヒンジバネ９に取付けていてもよい。ヒンジバネ９は蓋体６を容器３に対して閉塞すると力が増加し開放すると力が減少するものである。
【００１６】
また、本実施の形態では上枠４に蓋開放つまみ１０を回動自在に固定していることを特徴とする。この蓋開放つまみ１０を回動して下方に押し込むことにより、上枠４のフック部４ｂとロックレバー７との係合を解除できるようにしている。蓋開放つまみ１０はけり出し部１０ａでロックレバー７の押圧部７ａと対峙する位置にあり、さらにつまみバネ１１により上方に付勢している。ロックレバー７はロックバネ１２によりフック部４ｂとの係合方向に付勢しており、本実施の形態においては機体前方に付勢している。
【００１７】
蓋開放つまみ６は上枠４あるいは蓋体６の表面より突起した状態にあり、外部の操作により蓋開放つまみ１０の一部あるいは全体を上枠４もしくは蓋体６の表面より下方に押し込んだ場合に、蓋開放つまみ１０のけり出し部１０ａでロックレバー７の押圧部７ａを押圧し、上枠４のフック部４ｂとロックレバー７との係合を解除する。なお、蓋開放つまみ１０は必ずしも上枠４あるいは蓋体６の表面より突起した状態である必要はなく、例えば、電気湯沸かし器の出湯ボタンに用いられているように蓋開放つまみ１０を一度押すことにより、上枠４あるいは蓋体６の表面より突起した状態になるようにしてから、これを操作するようにしても良い。
【００１８】
前記構成の動作を説明する。蓋体６を開ける場合に蓋開放つまみ１０を外部操作により回動させることでロックレバー７と上枠４のフック部４ｂとの係合を解除する。これは蓋開放つまみ１０を所定量回動した場合に、けり出し部１０ａがロックレバー７の押圧部７ａに接触し、さらに蓋開放つまみ１０を回動し蓋開放つまみ１０の一部あるいは全体を上枠４もしくは蓋体６の表面より下方に押し込んだ場合に、ロックレバー７がフック部４ｂとの係合解除位置まで移動する。蓋体６は、ロックレバー７とフック部４ｂとの係合が解除されることで、ヒンジピン８を中心にして回動が自由になるため、ヒンジピン８に内接し一方を蓋体６内部に固定しもう一方を上枠４に直接あるいは間接的に固定し常に蓋体６が開く方向に付勢しているヒンジバネ９により蓋が開く。
【００１９】
このとき蓋開放つまみ１０は、本実施の形態では鉛直下向きに蓋開放つまみ１０を回動操作するが、上方や左右方向に動作させても同様の効果が得られるのであればよい。また、蓋開放つまみ１０は上枠４に摺動自在であればどのように取付けてもよく、また回動だけでなく水平・鉛直等の直線的に摺動してもよい。また、蓋開放つまみ１０は上枠４に対して全体もしくは一部が突起した状態で取付けていればよい。また蓋開放つまみ６は上枠４に対して別部材を介して取付けてもよい。
【００２０】
また、本実施の形態ではロックレバー７に押圧部７ａを設けているが、押圧部７ａをロックレバー７に対し係合した別部材でも同様の効果が得られる。
【００２１】
このように、蓋開放つまみ１０は上枠４に設けているので、蓋開放つまみ１０の操作はヒンジバネ９で付勢され開く力の方向と逆行せず、操作性が向上すると供に、ヒンジバネネ９の力を低減することでヒンジばね９を取付けている上枠ヒンジ部４ａ等の小型軽量化が実現できる。さらに蓋開放つまみ６を上枠４あるいは蓋体６表面より下方に押し込んだ位置で対峙しているロックレバー７を上枠との係合を解除させることで、不用意に蓋開放つまみ１０に触れる程度で、蓋が開くなどの誤操作を防止できる。
【００２２】
（実施の形態２）
図３は本発明の第２の実施の形態における電気湯沸かし器の要部断面図である。なお、本実施の形態の基本構成は実施の形態１と同じなので異なる点を中心に説明する。また、実施の形態１と同じ機能には同じ符号を付しその説明は省略する。
【００２３】
本実施の形態が実施の形態１と異なる点は、蓋体６にロックレバー７が上枠４のフック部４ｂとの係合解除位置へ移動することを規制する開閉レバー１３を設けた点である。
【００２４】
前記構成の動作を説明する。蓋体６を開けるときに、外部の操作により蓋開放つまみ１０の一部あるいは全体を上枠４もしくは蓋体６の表面より下方に押し込むことで、ロックレバー７がフック部４ｂとの係合解除位置まで移動する。このとき開閉レバー１３を蓋開放つまみ規制位置１３ａにしておくことでロックレバー７が開閉レバー１３と蓋体６との間で狭持されフック部４ｂとの係合解除位置７ｂまで移動することを禁止する。本実施の形態では開閉レバー１３は機体に対して鉛直方向に移動するものであるが前後もしくは左右に摺動するものでもよい。
【００２５】
外部の操作により蓋開放つまみ１０を回動して下方に押し込んだ場合に、いずれの位置で蓋開放つまみ１０６のけり出し部１０ａがロックレバー７の押圧部７ａを押圧し、上枠４のフック部４ｂとロックレバー７との係合を解除してもよい。
【００２６】
これにより不用意に蓋開放つまみ１０に触れる程度で、蓋が開くなどの誤操作をさらに防止できる。
【００２７】
（実施の形態３）
図４は本発明の第２の実施の形態における電気湯沸かし器の要部断面図である。なお、本実施の形態の基本構成は実施の形態１と同じなので異なる点を中心に説明する。また、実施の形態１と同じ機能には同じ符号を付しその説明は省略する。
【００２８】
本実施の形態が実施の形態１と異なる点は、上枠４もしくは蓋体６に蓋開放つまみ１０が上枠表面より下方へ移動することを規制する規制レバー１４を設けた点である。
【００２９】
前記構成の動作を説明する。規制レバー１４は蓋開閉つまみ１０の近傍に摺動自在に上枠４もしくは蓋体６に取付けられている。規制レバー１４を規制位置１４ａにすることで蓋開放つまみ１０の下部を規制レバー１４が固定し回動することを規制され、これによりロックレバー７がフック部４ｂとの係合解除位置７ｂまで移動することを禁止する。
【００３０】
これにより、不用意に蓋開放つまみ１０に触れる程度で、蓋が開くなどの誤操作をさらに防止できる。
【産業上の利用可能性】
【００３１】
以上のように、本発明に関わる電気湯沸かし器は、蓋体の開操作が容易であるので、容器の上部に蓋体を有し、それを開閉するような構成の電気湯沸かし器の用途として有用である。
【図面の簡単な説明】
【００３２】
【図１】本発明の第１の実施例を示す電気湯沸かし器の要部断面図
【図２】同電気湯沸かし器の断面図
【図３】本発明の第２の実施例に示す電気湯沸かし器の要部断面図
【図４】本発明の第３の実施例に示す電気湯沸かし器の要部断面図
【図５】従来例を示す電気湯沸かし器の概略断面図
【符号の説明】
【００３３】
１  ボデー
２  液体
３  容器
４  上枠
４ａ  ヒンジ部
５  発熱体
６  蓋体
７  ロックレバー
９  ヒンジバネ
１０  蓋開放つまみ
１３  開閉レバー
１４  規制レバー
【図１】
2005058643.tif 000003
【図２】
2005058643.tif 000004
【図３】
2005058643.tif 000005
【図４】
2005058643.tif 000006
【図５】
2005058643.tif 000007